(57)【要約】【課題】  本願は、複数の部材を組み合わせることなく、支持部材を流れ方向に対して平行方向でも、直交方向でも嵌合することが可能である屋根上設置物の支持部材の取り付け金具を提供することを目的とする。【解決手段】  本願の屋根上設置物の支持部材の取り付け金具は、屋根上設置物の支持部材が取り付けられる取り付け金具である。この取り付け金具は、流れ方向及び桁行方向に突出する被嵌合部を有している。この取り付け金具に取り付けられる支持部材は、嵌合部を有している。支持部材の嵌合部が、取り付け金具の被嵌合部に上方から取り付けられるときに、流れ方向に対して平行方向でも直交方向でも嵌合可能であることを特徴とする。【選択図】図１
2014148826.tif 000002
【特許請求の範囲】
【請求項１】
屋根上設置物の支持部材が取り付けられる取り付け金具であって、
該取り付け金具は、
流れ方向及び桁行方向に突出する被嵌合部を有しており、
前記支持部材は、
嵌合部を有しており、
該嵌合部が前記被嵌合部に上方から取り付けられるときに、
流れ方向に対して平行方向でも直交方向でも嵌合可能である
ことを特徴とする屋根上設置物の支持部材の取り付け金具。
【発明の詳細な説明】
【技術分野】
【０００１】
本願は、屋根上設置物を取り付けるための支持部材を、屋根上に取り付ける金具に関するものである。
【背景技術】
【０００２】
従来技術について、図７から図１０までで説明する。これらは、特開２０１０−２６１２３０号公報にて公開されている外設構築物の設置構造に関する技術である。図７及び図８は、支持部材７を流れ方向（流れ方向に平行方向）に取り付けた実施例である。また、図９及び図１０は、支持部材７を桁行方向（流れ方向に直交方向）に取り付けた実施例である。同じ取付金具４、連結金具５及び係止金具６を組み合わせたものを用いて、支持部材７を流れ方向にも桁行方向にも取り付けることができる構造である。
【先行技術文献】
【特許文献】
【０００３】
【特許文献１】特開２０１０−２６１２３０号公報
【発明の概要】
【発明が解決しようとする課題】
【０００４】
図７から図１０に示した構造では、支持部材７を取り付けるために、取付金具４、連結金具５及び係止金具６といった複数の部材を使用する。したがって、設置に使用する部材の材料費や加工費などが掛かっていた。また、設置に際し、これらの複数の部材を用途に合わせて組み合わせる必要があるので、手間がかかる上に組合せ方法を誤る可能性もあった。
【０００５】
本願は、複数の部材を組み合わせることなく、支持部材を流れ方向に対して平行方向でも、直交方法でも嵌合させることが可能である屋根上設置物の支持部材の取り付け金具を提供することを目的とする。
【課題を解決するための手段】
【０００６】
本願の取り付け金具は、屋根上設置物の支持部材が取り付けられる取り付け金具である。この取り付け金具は、流れ方向及び桁行方向に突出する被嵌合部を有している。この取り付け金具に取り付けられる支持部材は、嵌合部を有している。支持部材の嵌合部が、取り付け金具の被嵌合部に上方から取り付けられるときに、流れ方向に対して平行方向でも直交方向でも嵌合可能であることを特徴とする。
【発明の効果】
【０００７】
本願の屋根上設置物の支持部材の取り付け金具は、複数の部材を組み合わせることなく、支持部材を流れ方向に対して平行方向でも、直交方法でも嵌合することが可能である。したがって、支持部材を取り付けるために必要とする部材の材料費や加工費などを削減できる。また、部品点数が減ることにより、取り付けやすく、施工ミスが発生しにくくなる。
【図面の簡単な説明】
【０００８】
【図１】本願の屋根上設置物の支持部材の取り付け金具の実施例を示す説明図（斜視図）である。
【図２】本願の屋根上設置物の支持部材の取り付け金具の実施例（図１に示したもの以外）を示す説明図（斜視図）である。
【図３】本願の屋根上設置物の支持部材の実施例を示す説明図（斜視図）である。
【図４】本願の屋根上設置物の支持部材の実施例（図３に示したもの以外）を示す説明図（斜視図）である。
【図５】図１の取り付け金具へ図３の支持部材を流れ方向に対して平行方向に嵌合させて取り付ける実施例を、流れ方向に平行な方向で見た説明図である。
【図６】図１の取り付け金具へ図３の支持部材を流れ方向に対して直交方向に嵌合させて取り付ける実施例を、流れ方向に直交する方向で見た説明図である。
【図７】従来技術の説明図である。
【図８】従来技術の説明図である。
【図９】従来技術の説明図である。
【図１０】従来技術の説明図である。
【実施例】
【０００９】
本願の屋根上設置物の支持部材の取り付け金具について、図１から図６までにより説明する。なお、本願でいう屋根上設置物とは、太陽光発電パネル、既設屋根の上に新設屋根を葺く際（屋根改修時）に使用する断熱材や合板（下地材）などのように、屋根上に取り付けられるもの一般を指す。したがって、本願の屋根上設置物の支持部材の取り付け金具は、太陽光発電パネル等の屋根上設置、屋根の改修など、屋根上に設置物を取り付けることを必要とする場合に、広く使うことができる。
【００１０】
図１は、本願の屋根上設置物の支持部材の取り付け金具の一例である。図２は、本願の屋根上設置物の支持部材の取り付け金具であり、図１に示したもの以外の例である。図３は、屋根上設置物の支持部材の一例である。図４は、本願の屋根上設置物の支持部材であり、図３に示したもの以外の例である。図５は、図１の取り付け金具へ図３の支持部材を取り付ける説明図であり、支持部材を縦桟として流れ方向に平行な方向に向けて取り付ける例である。図６は、図１の取り付け金具へ図３の支持部材を取り付ける説明図であり、支持部材を横桟として流れ方向に直交する方向に向けて取り付ける例である。
【００１１】
まず、図１により本願の屋根上設置物の支持部材の取り付け金具１を説明する。図１の実施例では、取り付け金具１は折り曲げ加工により形成されている。本実施例では、上面１２の対向する二辺の端縁が、下方に向けて拡開する状態に折り曲げられている。それらの折り曲げ面は、取り付け金具１を屋根上に固定したときに、桁行方向に突出する。また、上面１２からのそれぞれの折り曲げ辺よりも、下端縁を長くすることによって、流れ方向にも突出する突出端１１１・１１１が形成されている。このとき、被嵌合部１１は、各折り曲げ面の下端縁及びその下端縁の流れ方向両先端に形成される突出端１１１・１１１として形成されている。ただし、本願の取り付け金具１は、図１の実施例に示されているような折り曲げ加工で製作されたものに限らない。したがって、被嵌合部１１は、図１の実施例において示したような形状及び形成方法に限定されるものではなく、流れ方向及び桁行方向に突出するように形成されていれば良い。
【００１２】
次に、本願の屋根上設置物の取り付け金具の実施例について、図１に示したもの以外を図２により説明する。（ａ）は、両側面１３・１３上端を外側斜め下方に折り返すことによって被嵌合部１１・１１が形成されている実施例である。（ｂ）は、両側面１３・１３上端を外側に折り曲げ、その両端を内側斜め上方に折り曲げることによって被嵌合部１１・１１を形成する実施例である。（ｃ）は、取り付け金具１を折り曲げ加工ではなく、ダイカスト加工にて製作した実施例である。（ａ）から（ｃ）までのいずれのようなものでもよく、同じ支持部材２を流れ方向に対して平行方向でも直交方向でも嵌合できるように、被嵌合部１１が流れ方向及び桁行方向に突出するように形成されていればよい。したがって、図１及び図２に示した実施例以外の方法によって、被嵌合部１１が形成されていてもよい。ただし、金具製作に当たっては、ダイカスト加工はコストがかかるので、安価な折り曲げ加工が望ましい。
【００１３】
次に、図３により本願の屋根上設置物の支持部材を説明する。図３の支持部材の実施例は、レール材である。この支持部材２の取り付け面側（底面側）に、取り付け金具１の被嵌合部１１と組み合わせることができる嵌合部２１・２１が形成されている。
【００１４】
次に、本願の屋根上設置物の支持部材の実施例について、図３に示したもの以外を図４により説明する。図４に示す支持部材の実施例は、図３のような端面形状のレール材ではなく、屋根改修で使用されるような断熱材や合板（下地材）などの載置部２２・２２を有する支持部材２である。このように、支持部材２は、図３に示したような形状のレール材に限らない。取り付け金具１の被嵌合部１１に嵌合される嵌合部２１を有するという条件さえ満たせば、それ以外についてはいかなる形状・機能を有していてもよい。
【００１５】
本願の屋根上設置物の支持部材の取り付け金具１を屋根改修で使用する場合、図４に示すような支持部材２を流れ方向に対して平行方向にも直交方向にも嵌合させられる。そのため、新設屋根は縦葺き、横葺きなどを問わず、自由度の高い取り付けが可能である。
【００１６】
次に、図５及び図６により、図１に示した取り付け金具１に、図３に示した支持部材２を組み合わせる実施例について説明する。図５は、支持部材２を縦桟として、流れ方向に対して平行な方向に向けて取り付ける例である。一方、図６は、支持部材２を横桟として、流れ方向に対して直交である方向に向けて取り付ける例である。
【００１７】
本実施例においては、取り付け金具１の上面１２の桁行方向両端が折り下げられて、被嵌合部１１・１１が形成されている。取り付けに際しては、この取り付け金具１を屋根上に固定する。そのため、本願の屋根上設置物の支持部材の取り付け金具１は、屋根上に固定するための固定部１４を有する。たとえば、固定部１４は、屋根材を挟持させる構造としてもよいし、既設の屋根材又は下地材に直接ビス等を打ち込む部分として形成してもよく、その形状や構造は問わない。なお、本願においては、一例として、上段と下段で隣り合う横葺き屋根材同士の係合部分に差し込まれる固定部１４を有する実施例を示す。
【００１８】
固定部１４の形状や構造を問わないので、本願の屋根上設置物の支持部材の取り付け金具を取り付けることができる屋根は、横葺き、縦葺き、折板等、いかなるものであってもよい。なお、固定部１４よりも高い位置に被嵌合部１１が形成されている。そのため、取り付ける屋根形状による支持部材２の形状の制限も少ない。
【００１９】
図５のように、支持部材２を縦桟として、流れ方向に対して平行な方向に向けて取り付ける場合、取り付け金具１の桁行方向両端に形成された両端縁（両突出端１１１・１１１を含む）を被嵌合部１１・１１として、支持部材２の嵌合部２１・２１それぞれが組み合わされて上方から嵌合される。一方、図６のように、支持部材２を横桟として、流れ方向に対して直交な方向に向けて取り付ける場合、取り付け金具１の被嵌合部１１の流れ方向への両突出端１１１・１１１を被嵌合部１１・１１として、支持部材２の嵌合部２１・２１それぞれが組み合わされて上方から嵌合される。
【００２０】
図５及び図６の実施例においては、複数の取り付け金具１に掛け渡すように、支持部材２を嵌合させて取り付ける。そうすることによって、屋根上設置物を設置したことによって受ける正圧・負圧等を複数の取り付け金具１に分散させることができる。その結果、強度の低い屋根材であっても、屋根上設置物の取り付け強度を高めることが可能である。しかし、本願の屋根上設置物の支持部材２の取り付け金具１は、１つの支持部材２に対して組み合わせる取り付け金具１の個数については問わない。たとえば、１つの取り付け金具１に１つの支持部材２を取り付けてもよいし、２つ以上の取り付け金具１に１つの支持部材２を掛け渡すように取り付けてもよい。ただし、強度の観点からは２つ以上の取り付け金具１に対して、１つの支持部材２を掛け渡すように組み合わせるのが望ましい。
【００２１】
このように、本願の屋根上設置物の支持部材の取り付け金具は、同じ取り付け金具と支持部材の組合せでありながら、取り付け金具を屋根上に固定したのちに、支持部材を流れ方向に対して平行方向に向けても、直交方向に向けても上方から嵌合させて取り付けることができることが特徴である。とくに、本願は、従来技術のように連結金具や係止金具といった別部材を必要としないという効果を有する。
【符号の説明】
【００２２】
１      取り付け金具
１１    被嵌合部
１１１  突出端
１２    上面
１３    側面
１４    固定部
２      支持部材
２１    嵌合部
２２    載置部
【図１】
2014148826.tif 000003
【図２】
2014148826.tif 000004
【図３】
2014148826.tif 000005
【図４】
2014148826.tif 000006
【図５】
2014148826.tif 000007
【図６】
2014148826.tif 000008
【図７】
2014148826.tif 000009
【図８】
2014148826.tif 000010
【図９】
2014148826.tif 000011
【図１０】
2014148826.tif 000012